(57)【要約】【課題】パソコンのアプリケーションを起動して確認することなく、装着された光ディスクがＣＤかＤＶＤか、また、記録可能であるかを判定し、また、記録可能な残量がどれだけあるかを光ディスク装置単体で簡易に表示して、使用者の操作性を改善した光ディスク装置を提供する。【解決手段】装着された光ディスク１の種別情報を認識するアナログ信号処理部８と、認識された光ディスク１の種別と記録可能な残量を表示する表示部１２、１３を備え、表示部１２、１３は、装着された光ディスク１の種別及び記録可能な残量に応じて表示色を切り替える機能を備え、また、装着された光ディスク１の種別及び記録可能な残量を音声によって表示するためのアンプ１４、スピーカー１５を備えている。【選択図】図１
2005267763.tif 000002
【特許請求の範囲】
【請求項１】
種別の異なる光ディスクに対して情報の記録または再生を行うことが可能な光ディスク装置であって、装着された光ディスクの種別情報を認識する信号処理部と、認識された光ディスクの種別を表示する表示部を備えたことを特徴とする光ディスク装置。
【請求項２】
装着された光ディスクが記録型の光ディスクである場合には、前記表示部は記録可能な残量を表示することを特徴とする請求項１記載の光ディスク装置。
【請求項３】
前記表示部は、装着された光ディスクの種別及び記録可能な残量に応じて表示色を切り替える機能を備えたことを特徴とする請求項１または２記載の光ディスク装置。
【請求項４】
前記表示部は、装着された光ディスクの種別及び記録可能な残量を音声によって表示する機能を備えたことを特徴とする請求項１または２記載の光ディスク装置。
【発明の詳細な説明】
【技術分野】
【０００１】
本発明は、パーソナルコンピュータなどの電子機器に搭載され、光ピックアップにより光ディスクに情報を記録再生する光ディスク装置に関する。
【背景技術】
【０００２】
光ディスクは、ＣＤ−ＲＯＭ、ＣＤ−Ｒ／ＲＷ、ＤＶＤ−ＲＯＭ、ＤＶＤ−ＲＡＭ、ＤＶＤ−Ｒ／ＲＷ、ＤＶＤ＋Ｒ／ＲＷなど、様々な種類のものが開発されて実用化されており、各方面への応用と高性能化への開発が活発に行われている。特に最近では、パーソナルコンピュータの急速な市場拡大に伴い光ディスク装置のパーソナルコンピュータへの内蔵普及率も高くなり、様々な用途で利用されている。
【０００３】
従来の光ディスク装置の構成について、図６に示すブロック図に従って説明する。
【０００４】
図６は従来の光ディスク装置のブロック図を示す。光ディスク１に対して光ピックアップ２によりレーザ光が照射されてデータの記録、再生が行われる。光ピックアップ２はフィードモーター３によって光ディスク１の半径方向に移動可能であり、光ディスク１はスピンドルモーター４によって回転する。フィードモーター３とスピンドルモーター４はＣＤサーボプロセッサー５によって制御され、これによって光ディスク１の回転速度、光ピックアップ２の移動速度が制御される。
【０００５】
アナログ信号処理部８は光ピックアップ２内部の光センサ（図示せず）からの信号出力を基に、フォーカスエラー信号とトラッキングエラー信号とＲＦ信号を生成し、デジタル信号処理部９に出力する。記録動作時は、デジタル信号処理部９によってホストから送られてきたデータを変調し、レーザ制御部によって光ピックアップ２内のレーザ（図示せず）等の光源に所定の電流を供給し、光源を例えばパルス状に発光させ、光ディスク１の情報トラックに記録を行う。ＣＰＵ６はメインメモリー７を持ち記録されたプログラムにより、このように構成されたサーボ部全体のコントロールとデジタル信号処理及びＩ／Ｆの制御を行うものである。
【０００６】
光ディスクより読み取られたデータはデジタル信号処理部９で処理され、ＵＳＢ（Ｕｎｉｖｅｒｓａｌ  Ｓｅｒｉａｌ  Ｂｕｓ）インターフェース部１０に送られＵＳＢ信号に変換される。これによりＵＳＢインターフェースによって容易にパソコン１１と接続することができる。
【０００７】
ＣＰＵ６にはメインメモリー７が接続されており、また、第１の表示装置１２と第２の表示装置１３は、ＣＰＵ６からの指示によってそれぞれ表示１、表示２を行う。例えば、緑色ＬＥＤの点灯によって表示１として電源の投入を表示し、橙色ＬＥＤの点灯によって表示２としてデータ転送中であることを表示する。
【０００８】
光ディスク装置の利便性を考慮して、光ディスクの記録容量の残量を使用者に知らせる機能を持たせたものが、例えば、（特許文献１）、（特許文献２）に記載されている。
【特許文献１】特開平６−１１９７５３号公報
【特許文献２】特開２００３−３４６３８７号公報
【発明の開示】
【発明が解決しようとする課題】
【０００９】
使用者がデータ記録する場合において、記録すべき容量が７００ＭＢを超えるとき、Ｃ
Ｄ−Ｒ／ＲＷメディアに記録する場合には複数枚の光ディスクが必要となるが、記録容量が４．７ＧＢのＤＶＤ−Ｒ／ＲＷメディアであれば１枚に十分記録可能である。
【００１０】
しかし、従来の光ディスク装置では、装着した光ディスクの種類をドライブ単体で表示する機能を持たず、接続したパソコンのアプリケーションを使用し書き込みを行う操作によって初めて装着された光ディスクの記録容量が表示されるため、書き込むデータに対し記録容量が少ない場合には、装着した光ディスクを複数回交換する必要があった。
【００１１】
また、装着された光ディスクが読み取り専用である場合には、当然に書き込みはできないため、あらためて書き込み可能な光ディスクと取り替えることが必要となるが、光ディスク装置自体に判別機能がないため、取り扱い上不便であった。
【００１２】
本発明は、このような問題点を解決するためになされたもので、パソコンのアプリケーションを起動して確認することなく、装着された光ディスクがＣＤかＤＶＤか、また、記録可能なものであるかを判定し、また、記録可能な残量がどれだけあるかを光ディスク装置単体で簡易に表示して、使用者の操作性を改善した光ディスク装置を提供することを目的とする。
【課題を解決するための手段】
【００１３】
本発明は、上記の課題を解決するためになされたもので、種別の異なる光ディスクに対して情報の記録または再生を行うことが可能な光ディスク装置であって、装着された光ディスクの種別情報を認識する信号処理部と、認識された光ディスクの種別を表示する表示部を備えたことを特徴とする光ディスク装置である。
【発明の効果】
【００１４】
本発明によると、使用者はパンコンを立ち上げてアプリケーションを起動して確認することなく、装着された光ディスクの種別と記録可能な残量をドライブ単体で知ることができる。
【発明を実施するための最良の形態】
【００１５】
本願の第１の発明は、種別の異なる光ディスクに対して情報の記録または再生を行うことが可能な光ディスク装置であって、装着された光ディスクの種別情報を認識する信号処理部と、認識された光ディスクの種別を表示する表示部を備えたことを特徴とする光ディスク装置である。
【００１６】
これにより、使用者はパンコンを立ち上げてアプリケーションを起動して確認することなく、ドライブ単体で装着された光ディスクの種別を知ることができる。
【００１７】
本願の第２の発明は、第１の発明において、装着された光ディスクが記録型の光ディスクである場合には、前記表示部は記録可能な残量を表示することを特徴とする。
【００１８】
これにより、装着された光ディスクが記録型のものである場合には、使用者はパソコンのアプリケーションで残量を確認する必要がなく、記録可能な残量を簡便に知ることができる。
【００１９】
本願の第３の発明は、第１または第２の発明において、前記表示部は、装着された光ディスクの種別及び記録可能な残量に応じて表示色を切り替える機能を備えたことを特徴とする。
【００２０】
表示部としてＬＣＤパネルを装備すると実装が困難でありコストアップとなるのに対し
て、表示部をＬＥＤ等の多色発光機能を用いて表示色を切り替えることにより、外付けのポータブル光ディスク装置において、装着された光ディスクの種別と記録可能な残量を簡便に表示することができる。
【００２１】
本願の第４の発明は、第１または第２の発明において、装着された光ディスクの種別及び記録可能な残量を音声によって表示する機能を備えたことを特徴とする。
【００２２】
これにより、装着された光ディスクの種別と記録可能な残量を視覚によって認識しにくい使用者に対しても、装着された光ディスクの種別と記録可能な残量を伝達することができる。
【００２３】
（実施の形態１）
以下、本発明をその実施形態に基づいて説明する。
【００２４】
図１は本発明の光ディスク装置のブロック図を示す。光ディスク１に対して光ピックアップ２によりレーザ光が照射されてデータの記録、再生が行われる。光ピックアップ２はフィードモーター３によって光ディスク１の半径方向に移動可能であり、光ディスク１はスピンドルモーター４によって回転する。フィードモーター３とスピンドルモーター４はＣＤサーボプロセッサー５によって制御され、これによって光ディスク１の回転速度、光ピックアップ２の移動速度が制御される。
【００２５】
アナログ信号処理部８は光ピックアップ２内部の光センサ（図示せず）からの信号出力を基に、フォーカスエラー信号とトラッキングエラー信号とＲＦ信号を生成し、デジタル信号処理部９に出力する。記録動作時は、デジタル信号処理部９によってホストから送られてきたデータを変調し、レーザ制御部によって光ピックアップ２内のレーザ（図示せず）等の光源に所定の電流を供給し、光源を例えばパルス状に発光させ、光ディスク１の情報トラックに記録を行う。ＣＰＵ６はメインメモリー７を持ち記録されたプログラムにより、このように構成されたサーボ部全体のコントロールとデジタル信号処理及びＩ／Ｆの制御を行うものである。
【００２６】
光ディスクより読み取られたデータはデジタル信号処理部９で処理され、ＵＳＢ（Ｕｎｉｖｅｒｓａｌ  Ｓｅｒｉａｌ  Ｂｕｓ）インターフェース部１０に送られＵＳＢ信号に変換される。これによりＵＳＢインターフェースによって容易にパソコン１１と接続することができる。
【００２７】
ＣＰＵ６には、第１の表示装置１２と第２の表示装置１３が接続されており、ＣＰＵ６からの指示によってそれぞれ表示１、表示２を行う。装着された光ディスク１の種別と記録可能な残量に関する情報は、光ピックアップ２により光ディスク１より読み出され、アナログ信号処理部８によって生成された後、デジタル信号処理部９でデータに変換されＣＰＵ６によりメインメモリー７に格納される。これにより装着された光ディスク１の種別と記録可能なメディアの場合、その容量が算出される。次にＣＰＵ６は、メモリーへ記録されたメディアの種類と記録可能な残量について第１の表示装置１２と第２の表示装置１３によって指定された色に表示される。
【００２８】
第１の表示装置１２と第２の表示装置１３のいずれも、青色ＬＥＤ、緑色ＬＥＤ、赤色ＬＥＤを有しており、各ＬＥＤの駆動回路を図５に示す。各ＬＥＤＳ１は２つの駆動信号を持ち、駆動信号Ａはトランジスタ１をＯＮし抵抗値１により通常の電流を流し通常輝度の点灯を行う、駆動信号Ｂはトランジスタ２をＯＮし抵抗値の大きい抵抗値２により流れる電流を少なくして、より低い輝度の点灯を行うことが出来る。
【００２９】
この駆動回路を用い青色ＬＥＤ、緑色ＬＥＤ、赤色ＬＥＤの輝度を変えて同時点灯することで混合色を作り出し、装着された光ディスク１の種別及び書込可能残量についての表示内容を発光色により表す。表示内容の詳細については後に詳述する。ＣＰＵ６からの指示によって送出される音声信号はアンプ１４によって増幅され、スピーカー１５によって、装着された光ディスク１の種別及び書込可能残量が音声として発せられる。
【００３０】
図２に、光ディスク１の種別及び書込可能残量についての表示処理のフローチャートを示す。
【００３１】
ＵＳＢインターフェース部１０がパソコン１１に接続され（Ｓ１）、光ディスク１が装着されてトレイが閉じられる（Ｓ２）と、装着された光ディスク１が読み取り専用のＣＤ−ＲＯＭであるか否かの判定を行う（Ｓ３）。装着された光ディスク１が読み取り専用のＣＤ−ＲＯＭである場合には、第１の表示装置の緑色ＬＥＤを点灯し、その旨を音声で知らせる（Ｓ４）。ＣＤ−ＲＯＭでない場合には、ＤＶＤ−ＲＯＭであるか否かの判定を行う（Ｓ５）。装着された光ディスク１がＤＶＤ−ＲＯＭである場合には、第１の表示装置の青色ＬＥＤを点灯し、その旨を音声で知らせる（Ｓ６）。
【００３２】
ＤＶＤ−ＲＯＭでない場合には、装着された光ディスク１が書込型のＣＤ−Ｒであるか否かの判定を行う（Ｓ７）。装着された光ディスク１がＣＤ−Ｒである場合には、第１の表示装置の赤色ＬＥＤを点灯し、その旨を音声で知らせる（Ｓ８）。次に、装着された光ディスク１についての残量を検出して、記録可能か否かの判定を行う（Ｓ９）。記録可能である場合には、残量に合わせて第２の表示装置に所定の色を表示する（Ｓ１０）。記録不可能な場合には、第２の表示装置に色を表示しない。
【００３３】
装着された光ディスク１がＣＤ−Ｒでない場合には、他の記録型メディアである、ＣＤ−ＲＷ、ＤＶＤ−ＲＡＭ、ＤＶＤ−Ｒ、ＤＶＤ−ＲＷ、ＤＶＤ＋Ｒ、ＤＶＤ＋ＲＷのいずれが装着されているかを判定し、記録型メディアの種類に応じて、表示色を変えて表示し、その記録可能な残量を表示する。
【００３４】
第１の表示装置における色の表示は、装着された光ディスク１の種別に応じて、例えば以下のようにすることができる。
【００３５】
ＣＤ−ＲＯＭ    緑色
ＣＤ−Ｒ        薄緑色
ＣＤ−ＲＷ      黄色
ＤＶＤ−ＲＯＭ  青色
ＤＶＤ−ＲＡＭ  水色
ＤＶＤ−Ｒ      紫色
ＤＶＤ−ＲＷ    桃色
ＤＶＤ＋Ｒ      橙色
ＤＶＤ＋ＲＷ    白色
また、第２の表示装置における光ディスク１の記録可能な残量表示については、例えば以下のようにすることができる。
【００３６】
容量無しで記録不可能    点灯せず
１００ＭＢ以下          桃色
３００ＭＢ以下          黄色
６５０ＭＢ以下          緑色
１ＧＢ以下              水色
２ＧＢ以下              青色
４．７ＧＢ（ＦＵＬＬ）  白色
図３に、光ディスク装置における第１の表示装置１２、第２の表示装置１３の配置の一例を示す。光ディスク装置の使用者は、第１の表示装置１２に表示された色によって、装着された光ディスクの種別を確認することができる。また、第２の表示装置１３に表示された色によって、装着された光ディスクが記録型の場合には、記録可能な残量を確認することができる。
【００３７】
図４に、ディスク残量の表示例の他の例を示す。残量に応じて表示の色を変えるとともに、図４に示すように、ＬＣＤ表示によって、残量の数値の概略がわかるように表示することもできる。
【産業上の利用可能性】
【００３８】
本発明は、パーソナルコンピュータなどの電子機器に搭載され、光ピックアップにより光ディスクに情報を記録再生する光ディスク装置として利用することができ、光ディスク装置単体で、装着された光ディスクの種別と記録可能な残量を簡便に表示することができる。
【図面の簡単な説明】
【００３９】
【図１】本発明の光ディスク装置のブロック図
【図２】光ディスクの種別及び書込可能残量についての表示処理のフローチャート
【図３】光ディスク装置における第１の表示装置、第２の表示装置の配置の一例を示す図
【図４】ディスク残量の表示例の他の例を示す図
【図５】表示装置におけるＬＥＤの駆動回路の構成を示す図
【図６】従来の光ディスク装置のブロック図
【符号の説明】
【００４０】
１    光ディスク
２    光ピックアップ
３    フィードモーター
４    スピンドルモーター
５    ＣＤサーボプロセッサー
６    ＣＰＵ
７    メインメモリー
８    アナログ信号処理部
９    デジタル信号処理部
１０    ＵＳＢインターフェース部
１１    パソコン
１２    第１の表示装置
１３    第２の表示装置
１４    アンプ
１５    スピーカー
【図１】
2005267763.tif 000003
【図２】
2005267763.tif 000004
【図３】
2005267763.tif 000005
【図４】
2005267763.tif 000006
【図５】
2005267763.tif 000007
【図６】
2005267763.tif 000008